(57)【要約】      （修正有）【課題】排尿の廃棄の煩わしさがなく、周囲に対して与え得る迷惑を軽減することが可能であり、さらに容易に設置可能な仮設トイレを提供する。【解決手段】少なくとも側面に開放部が設けられた本体部２と、開放部から本体部に流入する流体を本体部の外部に排出可能な排水部３とを有した仮設トイレ１は、汚水が流れる配管に繋がった汚水桝に接続可能な接続部５を具備している。接続部は、排水部に設けられており、汚水桝とは直接的又は間接的に接続可能である。【選択図】図４
2019141547.tif 000002
【特許請求の範囲】
【請求項１】
少なくとも側面に開放部が設けられた本体部と、前記開放部から本体部に流入する流体を当該本体部の外部に排出可能な排水部と、を有した仮設トイレであって、
前記排水部は、汚水が流れる配管に繋がった汚水桝と直接的又は間接的に接続可能な接続部を具備していることを特徴とする仮設トイレ。
【請求項２】
前記本体部は、前記排水部と前記汚水桝とが接続されることで所定の姿勢に固定されることを特徴とする請求項１に記載の仮設トイレ。
【請求項３】
前記排水部の接続部は、汚水桝に対して挿嵌されることで当該汚水桝と接続される構造であることを特徴とする請求項１又は請求項２に記載の仮設トイレ。
【請求項４】
前記接続部は、弾性体により構成されていることを特徴とする請求項１〜３のいずれかに記載の仮設トイレ。
【発明の詳細な説明】
【技術分野】
【０００１】  本発明は、工事現場、震災等の非常時において利用可能な仮設トイレに関する。
【背景技術】
【０００２】  従来から、工事現場や震災等の非常時において設置される男性用の仮設トイレとしては、排尿を溜めるタンクを備えたタンク式のものが知られている。【０００３】  例えば、特許文献１には、前面が開放されたケーシングと、ケーシング内に流入し当該内部から排出された小便が溜められるタンクを備えた仮設トイレが開示されている。【０００４】  このような、タンク式の仮設トイレは、タンクに小便を溜めることができるという特性上、下水処理場へ汚水等を流す汚水配管が土中に敷設されているか否かに関わらず容易に設置ができるため、設置の汎用性が高く、非常に使い勝手が良い。
【先行技術文献】
【特許文献】
【０００５】
【特許文献１】特開２０１３−１８０１８１号公報
【発明の概要】
【発明が解決しようとする課題】
【０００６】  しかしながら、タンク式の仮設トイレは、タンクに溜められた小便を業者等に依頼し、廃棄しなければならず、煩わしいという欠点がある。【０００７】  また、小便が溜められたタンクが長期間にわたって設置されるような場合等においては、強いアンモニア臭を発したり、害虫が発生するなど周囲に対して迷惑を与えてしまう場合がある。【０００８】  そこで、本発明は、小便の廃棄の煩わしさがなく、周囲に対して与え得る迷惑を軽減することが可能であり、さらに容易に設置可能な仮設トイレを提供することを目的とする。
【課題を解決するための手段】
【０００９】  本発明の仮設トイレは、少なくとも側面に開放部が設けられた本体部と、前記開放部から本体部に流入する流体を当該本体部の外部に排出可能な排水部と、を有した仮設トイレであって、前記排水部は、汚水が流れる配管に繋がった汚水桝と直接的又は間接的に接続可能な接続部を具備している。【００１０】  かかる構成により、本体部に流入した流体を汚水桝から汚水が流れる配管（以下汚水配管ともいう）に排水することができるため、タンクを設ける必要性がない。すなわち、本体部に流入した排尿がタンク等へ溜まることがなく、本体部に流入した排尿はすぐさま汚水配管へと流れるため、業者等へ廃棄を依頼することもなければ、設置場所において強い臭いを発したり、害虫が発生したりすることもない。【００１１】  また、前記本体部は、前記排水部と前記汚水桝とが接続されることで所定の姿勢に固定されてもよい。【００１２】  かかる構成により、本体部の姿勢を固定するために別途姿勢固定用の部材等を用意する必要がないため、部品点数を減らすことが可能である。また、仮設トイレの設置環境が悪い（例えば、足場が悪い）ような場合であっても設置可能であるため、設置環境による制限を小さくすることが可能である。【００１３】  また、前記排水部の接続部は、汚水桝に対して挿着されることで当該汚水桝と接続される構造であってもよい。【００１４】  かかる構成により、仮設トイレと汚水桝とを容易に接続することが可能となるため、当該仮設トイレを専門の業者に頼むことなく容易に設置することができる。【００１５】  また、前記接続部は、弾性体により構成されていてもよい。【００１６】  かかる構成により、汚水桝との接続をより容易にすることが可能となる上、汚水桝に対して圧着接続が可能となるため、仮設トイレと汚水桝との接続をより簡易かつ強固なものとすることが可能となる。
【発明の効果】
【００１７】  本発明によれば、排尿の廃棄の煩わしさがなく、周囲に対して与え得る迷惑を軽減する効果を期待することができる上、さらに容易に設置可能である。
【図面の簡単な説明】
【００１８】
【図１】  本発明の実施形態に係る仮設トイレ１を示す斜視図
【図２】  接続部５を排水部３から離脱させた状態の仮設トイレ１示す斜視図
【図３】  図１の仮設トイレ１を汚水桝へ挿着する直前の状態を示す説明図
【図４】  図１の仮設トイレ１を汚水桝へ挿着した状態を示す説明図
【発明を実施するための形態】
【００１９】［本実施形態に係る仮設トイレ１の概要］
以下、本発明の実施形態に係る仮設トイレ１を説明する。図１は、本発明の実施形態に係る仮設トイレ１を示す斜視図である。図１に示す仮設トイレ１は、簡易便所の１種であり、特には男性専用の簡易トイレである。仮設トイレ１は、直立状態の男性の排尿を受ける本体部２と、本体部２に流入した尿等の液体を外部に排出する排水部３と、排水部３に挿着可能な接続部５とを有している。本実施形態の仮設トイレ１は、後述するが、地面に敷設された既設の排水管５１（図４）と連通した汚水桝５２（図４）に対して、接続部５を挿着させることで所定の姿勢に固定される。
【００２０】  以下、図面を参照にして、仮設トイレ１の各構成について詳細に説明する、なお、以下の説明において、「上下左右の方向」は、使用者の目線を基準とする。
【００２１】［仮設トイレ１の各構成について］
（本体部２）
図２は、接続部５を排水部３から離脱させた状態の仮設トイレ１示す斜視図である。本体部２は、樹脂により成形されており、側面側の一部が開口された曲線を有した構造体である。具体的には、本体部２は、楕円体を、垂直方向を基準に水平方向に若干傾けた位置（１０〜２５度くらいの範囲で傾けた位置であり、好ましくは２０度くらいに傾けた位置）から切った形状であり、側面側の一部が開口した開口部１１と、開口部１１から下方に向かって曲面状に形成された側面壁１２と、側面壁１２と一体化した底部形成部１３とで構成されている。
【００２２】  本体部２の開口部１１は、排尿が本体部２の内部空間に流入する入口であり、常時開放状態である。側面壁１２は、本体部２の内部空間を形成する部分であり、開口部１１から流入した排尿を受けて、受けた尿を壁面に沿わせて排水部３へ流す形状である。底部形成部１３は、側面壁１２と一体となった底部壁２１と、本体部２の内部空間と排水部３とを連通させた連通開口２２とで構成されている。底部壁２１は、連通開口２２に向けて流れ勾配を形成している。連通開口２２は、ほぼ円形の開口である。
【００２３】  （排水部３）
排水部３は、本体部２と一体構造であり、本体部２と同様に樹脂により成形されている。排水部３は、本体部２の下端を起点として下方に直線状に伸びた円筒形状であり、内部は本体部２の連通開口２２と連通した円筒状の排水流路２３が形成されている。具体的には、排水部３は、その長さが概ね５０〜８０ｃｍ、外径が概ね５〜１０ｃｍ、内径が概ね２〜７ｃｍの円筒状の配管構造である。なお、排水部３の長さ、外径、内径のサイズは、上記サイズに限られるものではない。
【００２４】  （接続部５）
接続部５は、弾性を有したゴムを円筒状に成形したものである。具体的には、接続部５は、その外径が汚水桝５２の内側に挿着可能なサイズであり、内径は排水部３が挿着可能なサイズである。より詳細には、接続部５は、長さが概ね２０〜２５ｃｍ、外径が概ね１０〜２０ｃｍ、内径が概ね５〜１０ｃｍの円筒状の構造である。
【００２５】  なお、他の実施形態では、接続部の内側にねじを切った雌ねじ部を形成し、さらに排水部の外側にねじを切った雄ねじ部を形成し、接続部と排水部とを螺合させて一体化させる構成であっても構わない。
【００２６】  また、他の実施形態では、接続部を構成する材料として、ゴムではなく、弾性を有した樹脂等によって成形しても構わない。
【００２７】  また、他の実施形態では、排水部と接続部とを一体的な構造としても構わない。
【００２８】  また、他の実施形態では、本体部２の開口部１１に開閉可能な蓋を設けても構わない。これにより、必要に応じて、本体部２を開放することが可能となるため、アンモニア臭等による不快感をより効果的に低減することが可能となる。
【００２９】［仮設トイレ１を構成する各部の位置関係］
次に、本実施形態の仮設トイレ１を構成する各部の位置関係について説明する。本実施形態の仮設トイレ１は、上述したように、本体部２、排水部３、及び接続５から構成されている。本体部２は、内部空間に排尿の流入を可能にする開口部１１が水平方向を含む方向に向けられており、その開口部１１の開口面を基端として、当該開口面の垂直方向に向けて離反して曲面を形成するように側面壁１２が設けられている。換言すれば、本体部２は、開口部１１の開口面と、曲面状の側面壁１２とが囲繞して内部空間を形成している。
【００３０】  排水部３は、本体部２の底部形成部１３に一体的に接続されているもので、その排水流路２３が底部形成部１３に対してほぼ垂直方向に延びるように配されている。本実施形態では、仮設トイレ１の通常の設置姿勢において、本体部２の底部形成部１３が概ね水平方向に広がるように配されるので、排水部３は概ね鉛直方向に延びるように配される。
【００３１】  接続部５は、排水部３に対して脱着可能なもので、取付時には、その内側に排水部３が挿着された配置である。なお、接続部５に対して排水部３が挿着された状態においては、排水部３の端部が接続部５の挿入口の端部（入口端部）と反対側の端部（出口端部）まで到達して固定される配置であっても、排水部３の端部が接続部５の入口端部と出口端部との中途の位置で固定される配置であってもいずれでも構わない。
【００３２】  ［仮設トイレ１の設置方法］
次に、本実施形態の仮設トイレ１の設置方法について説明する。ここで、図３は、図１の仮設トイレ１を汚水桝へ挿着する直前の状態を示す説明図である。また、図４は、図１の仮設トイレ１を汚水桝へ挿着した状態を示す説明図である。
【００３３】  本実施形態の仮設トイレ１は、工具等を用いることなく、誰でも容易に設置することが可能である。具体的には、排水部３に接続部５を取り付けた状態で、土中に敷設された汚水管５１と連通した汚水桝５２に対して接続部５を挿入する。接続部５は、汚水桝５２の内径とほぼ同一のサイズに成形されているので挿入しずらいが、ゆっくりと力を挿入方向に加えていくことで、接続部５の弾性により当該接続部５が若干縮まり徐々に挿入されていく。
【００３４】  そして、接続部５が汚水桝５２に対して所定の長さ（例えば５〜１０ｃｍ）まで挿入されることで、接続部５が汚水桝５２に対して接続される。この状態において、接続部５が汚水桝５２に対して挿着された状態となり固定される。これにより、仮設トイレ１は、設置完了となり、使用可能となる。
【００３５】  このように、仮設トイレ１の接続部５を汚水桝５２に挿着させることで、容易に設置することができるため、工事現場や被災地においてでも、専門業者に頼る必要がなく、誰でも簡単に使用することが可能である。
【００３６】  また、本実施形態では、接続部５を排水部３に対して着脱可能な構成としているため、接続部５の外径サイズを複数種類用意しておけば、汚水桝の内径や形状が異なる場合であっても、対応させることが可能となる。これにより、本実施形態の仮設トイレ１は、設置環境に左右されることなく、どのような場所でも設置させることができる。
【００３７】  また、本実施形態の仮設トイレ１は、タンク式ではないため、尿が溜められたタンクが長期間にわたって設置されるようなことがそもそもなく、またそれに伴い、強いアンモニア臭を発したり、害虫が発生するなど周囲に対して迷惑を与えてしまう可能性が低い。
【００３８】  また、上記実施形態では、男性用の簡易トイレ１について説明したが、本発明はこれに限定されるものではなく、図示していないが、例えば、男性だけでなく、女性にも使用可能な構造の仮設トイレであっても構わない。
【符号の説明】
【００３９】  １    仮設トイレ
２    本体部
３    排水部
５    接続部
１１    開口部
１２    側面壁
１３    底部形成部
２２    連通開口
２３    排水流路
５１    汚水管
５２    汚水桝
【図１】
2019141547.tif 000003
【図２】
2019141547.tif 000004
【図３】
2019141547.tif 000005
【図４】
2019141547.tif 000006